【手続補正書】
【提出日】平成18年11月1日(2006.11.1)
【手続補正１】
【補正対象書類名】明細書
【補正対象項目名】特許請求の範囲
【補正方法】変更
【補正の内容】
【特許請求の範囲】
【請求項１】  揮発性有機溶剤、前記揮発性有機溶剤に20重量％未満の溶解性を有する油、前記揮発性有機溶剤に可溶性である一種以上のバインダー樹脂、及び着色剤を含むことを特徴とするジェットインク組成物。
【請求項２】  前記揮発性有機溶剤が、その蒸発速度が1.0であるn-ブチルアセテート標準物質に対し0.1以上の蒸発速度を有する請求の範囲第１項記載のジェットインク組成物。
【請求項３】  前記揮発性有機溶剤が、その蒸発速度が1.0であるn-ブチルアセテート標準物質に対し0.3〜5.0の蒸発速度を有する請求の範囲第２項記載のジェットインク組成物。
【請求項４】  前記着色剤が染料を含む請求の範囲第１項〜第３項のいずれか一項記載のジェットインク組成物。
【請求項５】  前記染料が前記油に不溶性又は実質的に不溶性である請求の範囲第４項記載のジェットインク組成物。
【請求項６】  前記油が前記揮発性有機溶剤の２重量％から20重量％までの溶解性を有する請求の範囲第１項〜第５項のいずれか一項記載のジェットインク組成物。
【請求項７】  前記バインダー樹脂が前記油に不溶性又は実質的に不溶性である請求の範囲第１項〜第６項のいずれか一項記載のジェットインク組成物。
【請求項８】  前記バインダー樹脂が500,000以下の重量平均分子量を有する請求の範囲第１項〜第７項のいずれか一項記載のジェットインク組成物。
【請求項９】  前記バインダー樹脂が30,000以下の重量平均分子量を有する請求の範囲第８項記載のジェットインク組成物。
【請求項１０】  前記揮発性有機溶剤が、アルコール、ケトン、エステル、エーテル、グリコールエーテル、グリコールエーテルエステル及びこれらの組み合わせからなる群から選ばれる請求の範囲第１項〜第９項のいずれか一項記載のジェットインク組成物。
【請求項１１】  前記揮発性有機溶剤が、エタノール、1-メトキシ-2-プロパノール、n-プロポキシプロパノール、1-メトキシ-2-プロピルアセテート、乳酸エチル及びこれらの組み合わせからなる群から選ばれる請求の範囲第１０項記載のジェットインク組成物。
【請求項１２】  前記バインダー樹脂が、ポリケトン樹脂、ポリウレタン、ポリ酢酸ビニル、炭化水素樹脂、ポリビニルブチラール樹脂及びこれらの組み合わせからなる群から選ばれる請求の範囲第１項〜第１１項のいずれか一項記載のジェットインク組成物。
【請求項１３】  前記油が石油、不乾性油、及び半乾性油からなる群から選ばれる請求の範囲第１項〜第１２項のいずれか一項記載のジェットインク組成物。
【請求項１４】  前記油が芳香族油、パラフィン油、抽出パラフィン油、ナフテン油、抽出ナフテン油、水素化処理軽油の混合物、水素化処理された軽油と重油の混合物、植物油、植物油誘導体、及びこれらの組み合わせからなる群から選ばれる請求の範囲第１項〜第１２項のいずれか一項記載のジェットインク組成物。
【請求項１５】  前記油が300°F（149℃）〜800°F（427℃）の初留点を有する請求の範囲第１項〜第１４項のいずれか一項記載のジェットインク組成物。
【請求項１６】  前記油が400°F（204℃）〜600°F（316℃）の初留点を有する請求の範囲第１５項記載のジェットインク組成物。
【請求項１７】  前記油が450°F（232℃）〜900°F（482℃）の50％沸点を有する請求の範囲第１項〜第１６項のいずれか一項記載のジェットインク組成物。
【請求項１８】  前記油が500°F（260℃）〜800°F（427℃）の50％沸点を有する請求の範囲第１７項記載のジェットインク組成物。
【請求項１９】  前記油が200〜900の平均分子量を有する請求の範囲第１項〜第１８項のいずれか一項記載のジェットインク組成物。
【請求項２０】  前記染料がC.I.ソルベント・ブラック３、７、13、29及び70、並びにC.I.ソルベント・レッド125からなる群から選ばれる請求の範囲第４項記載のジェットインク組成物。
【請求項２１】  前記染料がポリマー染料である請求の範囲第４項記載のジェットインク組成物。
【請求項２２】  表面活性剤を更に含む請求の範囲第１項〜第２１項のいずれか一項記載のジェットインク組成物。
【請求項２３】  前記表面活性剤がシロキサンである請求の範囲第２２項記載のジェットインク組成物。
【請求項２４】  前記シロキサンがポリエステル変性ポリジメチルシロキサンである請求の範囲第２３項記載のジェットインク組成物。
【請求項２５】  グリコール又はピロリドン添加剤を更に含む請求の範囲第１項〜第２４項のいずれか一項記載のジェットインク組成物。
【請求項２６】  前記添加剤がジエチレングリコール又はN-メチルピロリドンである請求の範囲第２５項記載のジェットインク組成物。
【請求項２７】  前記油が非吸湿性油である請求の範囲第１項記載のジェットインク組成物。
【請求項２８】  インク液滴の流れを支持体に射出し、液滴が支持体上に所望の印刷像を形成するように前記液滴の方向を調節することを含む支持体へのジェットインク印刷方法であって、前記インク液滴が請求の範囲第１項〜第２７項のいずれか一項記載のジェットインク組成物から形成されることを特徴とするジェットインク印刷方法。
【請求項２９】  前記支持体が非多孔性支持体である請求の範囲第２８項記載の方法。
【請求項３０】  前記印刷をドロップ−オン−デマンド様式で行なう請求の範囲第２８項又は第２９項記載の方法。
【請求項３１】  ジェットインク組成物の液滴の流れを一つ以上のノズルオリフィスを通して支持体に射出することを含むドロップ−オン−デマンドインクジェットプリンターによる印刷方法であって、前記ジェットインク組成物が非印刷間隔中に一つ以上のノズルオリフィスで連続油相を形成する油を含むことを特徴とする印刷方法。
【請求項３２】  非印刷間隔中にノズルオリフィスの外部の空気とノズルオリフィスの内部のインクの間に境界層を形成する油を含むジェットインク組成物で印刷することを特徴とするインクジェットプリンター中のノズルオリフィスの詰まりの軽減方法。
【請求項３３】  前記ノズルオリフィスを印刷の前にパージする請求の範囲第３１項又は第３２項記載の方法。
【請求項３４】  前記ジェットインク組成物が請求の範囲第１項〜第２７項のいずれか一項記載のジェットインク組成物である請求の範囲第３１項もしくは第３２項又は第３３項記載の方法。
【手続補正２】
【補正対象書類名】明細書
【補正対象項目名】０００８
【補正方法】変更
【補正の内容】
【０００８】
（発明の開示）
本発明によれば、揮発性有機溶剤、前記揮発性有機溶剤に20重量％未満の溶解性を有する油、前記揮発性有機溶剤に可溶性である一種以上のバインダー樹脂、及び着色剤を含むジェットインク組成物が提供される。
更に、本発明は本発明のジェットインク組成物から生成されたインク液滴の流れを支持体に射出し、液滴が支持体上に所望の印刷像を形成するように液滴の方向を調節することを含む支持体へのジェットインク印刷方法を提供する。
また、本発明は非印刷間隔中にノズルオリフィスにおけるインク組成物からの揮発性溶剤の蒸発のために生じるノズルオリフィスの詰まりの低減方法を提供する。その方法に使用されるインク組成物は非印刷間隔中にノズルオリフィスで連続油相又は境界層を形成する油を含む。境界層はインク組成物からの揮発性溶剤の更なる蒸発を防止し、固体の形成及び付随のノズルの詰まりを低減する。